(57)【要約】【課題】外部からの不正解錠を防止するとともに、室内側からの簡便な施解錠を可能とする施解錠装置、およびこの施解錠装置を備えた開口部装置を提供する。【解決手段】錠部６と受座とを具備し、錠部には、シリンダー錠の先端２０ａ、及びサムターン軸の先端と直接又は間接に係合するとともに、シリンダー錠２０への鍵操作、又はサムターン４０の操作により回動される筒状部材８０と、筒状部材の回動に連動して受座に係合離脱されることで施解錠を可能とする係止部材７が設けられた施解錠装置であって、筒状部材と前記サムターンの軸の先端は、回動方向に略９０度の遊びをもって係合され、サムターンの軸４１と、軸に直交する方向に向けて取り付けられた突出部４２と、軸の回動により定まる該突出部の回動面と同一面上に回動可能に取り付けられると共に外周部に切欠き部を有する回動板６１、６２とを備え、回動板が回動して切欠き部の位置が移動すると、突出部と回動板との位置的干渉の有無が生じ、それによってサムターンの軸の回動が規制され、あるいはその規制が解除されるように構成する。【選択図】      図２
2004353384.tif 000002
【特許請求の範囲】
【請求項１】
錠部と受座とを具備し、
前記錠部には、シリンダー錠の先端、及びサムターン軸の先端と直接又は間接に係合するとともに、前記シリンダー錠への鍵操作、又は前記サムターンの操作により回動される筒状部材と、該筒状部材の回動に連動して前記受座に係合離脱されることで施解錠を可能とする係止部材が設けられた施解錠装置であって、
前記サムターンの軸と、該軸に直交する方向に向けて取り付けられた突出部と、前記軸の回動により定まる該突出部の回動面と同一面上に回動可能に取り付けられると共に外周部に切欠き部を有する回動板とを備え、
前記回動板が回動して前記切欠き部の位置が移動すると、前記突出部と前記回動板との位置的干渉の有無が生じ、それによって前記サムターンの軸の回動が規制され、あるいはその規制が解除されることを特徴とする、施解錠装置。
【請求項２】
前記筒状部材と前記サムターンの軸の先端とは、回動方向に略９０度の遊びをもって係合されていることを特徴とする請求項１に記載の施錠装置。
【請求項３】
戸体と、前記戸体を開閉可能に支持した枠体と、前記戸体に錠部、前記枠体に受座を備えた施解錠装置とを具備する開口部装置であって、
前記錠部には、室外側でシリンダー錠の先端と、室内側でサムターン軸の先端と直接又は間接に係合するとともに、室外側からの前記シリンダー錠への鍵操作、又は室内側からの前記サムターンの操作により回動される筒状部材と、該筒状部材の回動に連動して前記受座に係合離脱されることで施解錠を可能とする係止部材が設けられた施解錠装置であって、
前記サムターンの軸と、該軸に直交する方向に向けて取り付けられた突出部と、前記軸の回動により定まる該突出部の回動面と同一面上に回動可能に取り付けられると共に外周部に切欠き部を有する回動板とを備え、
前記回動板が回動して前記切欠き部の位置が移動すると、前記突出部と前記回動板との位置的干渉の有無が生じ、それによって前記サムターンの軸の回動が規制され、あるいはその規制が解除されることを特徴とする、施解錠装置を備えた開口部装置。
【請求項４】
前記筒状部材と前記サムターンの軸の先端とは、回動方向に略９０度の遊びをもって係合されていることを特徴とする請求項３に記載の施解錠装置を備えた開口部装置。
【発明の詳細な説明】
【０００１】
【発明の属する技術分野】
本発明は、防犯性を向上させた施解錠装置およびその施解錠装置を備えた開口部装置に関する。
【０００２】
【従来の技術】住宅等の玄関に施工されている施解錠装置は、室内外の両方から施解錠が可能なタイプのものが大部分を占めている。中でも、室外側からはシリンダー内から抜き差し可能な鍵を用いて施解錠を行い、室内側からは予めシリンダーに固定装着されているサムターンによって施解錠を行うものが多い。上記の鍵、およびサムターンを所定の方向に回転させると、この回転操作と連動して扉からデッドボルトが突出し、建物と一体化した枠体に備えられている受座に係合されることによって施錠される。また、施錠とは逆の操作を行えば、デッドボルトが扉内部に収納され、解錠される仕組みとなっている。
【０００３】
この、室内側に設けられたサムターンを回転させるつまみ操作のみで簡便に施解錠が行われるため、就寝時等に際しても鍵のかけ忘れが防止され、防犯性の向上が図られている。
【０００４】
このサムターンタイプの鍵構造が多く用いられるのには、上記のほか、取り付けにあたって扉厚の変化にも柔軟な対応ができ、取り付け後は、頑丈さと見栄えのよさを兼ね備えるといった理由もあり、サッシメーカーを中心に多くのドアに使用されている。
【０００５】
ところで、近年、犯罪が増加傾向にあるなかで、空き巣のような住居不法侵入の手口として従来のピッキング等の解錠手法に加えて、いわゆる「サムターン回し」という扉の破壊解錠手段が知られるようになった。その手段は扉に装飾や明り取りのためのガラス窓を設けている場合、室外側からそのガラス窓のガラスを破壊する、もしくは上記のようなガラス窓がない場合においては、室外側扉のシリンダー付近をドリル等の機器を用いて扉を破壊して穴を空け、室内側のサムターンを棒などを使用して解錠方向に不正に回動操作するものである。この解錠方法は、サムターンを設けることにより上記の室内側からも簡便に施解錠可能である利点を逆手にとったものであった。
【０００６】
この問題に対し、特許文献１には、扉を室内外両方向から鍵にて施錠、解錠することが可能である施解錠装置を備えた建具が開示されている。
【特許文献１】特開２００２−８１２３６号公報
【０００７】
【発明が解決しようとする課題】
しかし、室内側のサムターンを、シリンダーを設けて鍵操作兼用のものとした場合、防犯性は向上されるものの、室外のシリンダーと別構造となるようにすれば室外側の鍵と合わせて２本の鍵を所持しなければならず、携帯性かつ利便性に欠け、鍵を紛失するおそれがあるという問題もあった。また、室内外同一の鍵とした場合でも紛失のおそれや、必要時にはサムターンを抜き差ししなければならないという不便さがあった。
【０００８】
そこで、本発明は、上記鍵操作の可能であるサムターンの有する問題点を解消し、外部からの不正解錠を防止するとともに、室内側からの簡便な施解錠を可能とする施解錠装置、およびこの施解錠装置を備えた開口部装置を提供することを課題とする。
【０００９】
【課題を解決するための手段】
以下、本発明について説明する。なお、本発明の理解を容易にするために添付図面の参照符号を括弧書きにて付記するが、それにより本発明が図示の形態に限定されるものではない。
【００１０】
請求項１の発明は、錠部（６）と受座（８）とを具備し、錠部には、シリンダー錠の先端（２０ａ）、及びサムターン軸の先端（４１ａ、４１ｂ）と直接又は間接に係合するとともに、シリンダー錠（２０）への鍵操作、又はサムターン（４０）の操作により回動される筒状部材（８０）と、筒状部材の回動に連動して受座に係合離脱されることで施解錠を可能とする係止部材（７）が設けられた施解錠装置であって、サムターンの軸（４１）と、軸に直交する方向に向けて取り付けられた突出部（４２）と、軸の回動により定まる該突出部の回動面と同一面上に回動可能に取り付けられると共に外周部に切欠き部（６１ａ、６２ａ）を有する回転板（６１、６２）とを備え、回動板が回動して切欠き部の位置が移動すると、突出部と回動板との位置的干渉の有無が生じ、それによってサムターンの軸の回動が規制され、あるいはその規制が解除されることを特徴とする、施解錠装置を提供して前記課題を解決する。ここに「突出部」は、回転板の切欠き部に少なくとも一部が係合する形状であればとくに限定されるものではなく、例えば、サムターンの軸から直交方向に延設されたピン、あるいは突片、さらには長円板等であっても良い。
【００１１】
請求項１の発明によれば、サムターンの回動は、回動板の外周にサムターンに取り付けられた突出部が突き当たることによって規制することができる。このため回動板を回動させて回動板の外周に設けられた切欠き部領域に突出部が入らない限りは、サムターンがロック状態にあるため、サムターンを回動させて解錠することができない。
【００１２】
請求項２の発明は、請求項１の施解錠装置において、筒状部材と（４０）とサムターンの軸の先端（４１ａ、４１ｂ）とは、回動方向に略９０度の遊びをもって係合されていることを特徴とする。
【００１３】
この発明によれば、サムターンと筒状部材とは略９０の遊びを持って係合されているため、サムターンがロックされている状態においても、シリンダー錠側から鍵により施解錠操作をすることができる。
【００１４】
請求項３の発明では、戸体（４）と、戸体を開閉可能に支持した枠体（２）と、戸体に錠部（６）、枠体に受座（８）を備えた施解錠装置とを具備する開口部装置（１００）であって、錠部には、室外側でシリンダー錠の先端（２０ａ）と、室内側でサムターン軸の先端（４１ａ、４１ｂ）と直接又は間接に係合するとともに、室外側からのシリンダー錠（２０）への鍵操作、又は室内側からのサムターン（４０）の操作により回動される筒状部材（８０）と、筒状部材の回動に連動して受座に係合離脱されることで施解錠を可能とする係止部材が設けられた施解錠装置であって、サムターンの軸（４１）と、軸に直交する方向に向けて取り付けられた突出部（４２）と、軸の回動により定まるピンの回動面と同一面上に回動可能に取り付けられると共に外周部に切欠き部を有する回動板（６１、６２）とを備え、回動板が回動して切欠き部（６１ａ、６２ａ）の位置が移動すると、突出部と回動板との位置的干渉の有無が生じ、それによってサムターンの軸の回動が規制され、あるいはその規制が解除されることを特徴とする、施解錠装置を備えた開口部装置を提供して前記課題を解決する。
【００１５】
請求項３の発明によれば、サムターンを施錠方向に回動させ、回動板を解錠不可能な方向に回して切欠き部を移動させておけば、室内側にてロックされた状態が可能で、就寝時等には突出部が回動板によって回動規制され、不法侵入等の犯罪を企てる者の解錠は不可能である。一方、就寝時等以外の日常での室内外の出入りがあるときには、施解錠可能な位置に回動板を回転させておくことにより、ロックが解除され、室内側からも施解錠が可能となり、利便性の高い開口部装置を提供することができる。
【００１６】
請求項４の発明は、請求項３の施解錠装置を備えた開口部装置において、筒状部材と（４０）とサムターンの軸の先端（４１ａ、４１ｂ）とは、回動方向に略９０度の遊びをもって係合されていることを特徴とする。
【００１７】
この発明によれば、サムターンと筒状部材とは略９０の遊びを持って係合されているため、サムターンがロックされている状態においても、シリンダー錠側から鍵により施解錠操作をすることができる。したがって、外出時等には、室内側のサムターンをロックしてから、室外側に出て、鍵により施錠操作が可能となる。
【００１８】
本発明のこのような作用及び利得は、次に説明する実施の形態から明らかにされる。
【００１９】
【発明の実施の形態】
以下本発明を図面に示す実施形態に基づき説明する。
【００２０】
＜第一実施形態＞
図１は本発明をドアに適用した場合の、開口部装置１００の室外側正面図を示す。
【００２１】
ドア１は、室内外を隔てる場所に取り付けることが可能であり、玄関や通用口等に施工される。このドア１は、建物の躯体の開口部に嵌め込まれるように施工され、建物と一体化されている矩形枠状の枠体２と、枠体２を構成する上枠２ａ、下枠２ｂ、左枠２ｃおよび右枠２ｄのうち、右枠２ｄに備え付けられた蝶番３ａおよび３ｂによって支持されて、枠体２内部に開閉可能となるよう収められている戸体４とを備えている。
【００２２】
戸体４の戸先側には錠部６が設けられている。錠部６は主部材として、戸体４の戸先側に配置されたラッチボルト（図示せず）を操作するドアノブ５と、ドアノブ５の僅かに上にシリンダー２０と、シリンダー２０内部に形成され、戸先側の端面から出没可能に設けられた例えば棒状（もしくは鎌状）の係止部材（以下において「デッドボルト」という。）７とを備えている。戸先側の縦枠２ｃにはデッドボルト７が係合離脱される受座８が備えられている。
【００２３】
また、戸体４には、明り採り、もしくは装飾のためのガラス窓９ａ、９ｂ、９ｃ、９ｄ、９ｅ、および９ｆが設けられている。
【００２４】
図２は図１のＩＩ−ＩＩ線に沿った拡大断面図である。上記図１に示した戸体４の室内外両面には、室外側からの鍵２１、および室内側からのサムターン４０の操作によりデッドボルト７を受座８（本図には現れていない。）に係合離脱させる施解錠可能なシリンダー２０およびサムターン受け３０がそれぞれ設けられている。
【００２５】
シリンダー２０およびサムターン受け３０は、錠部６の錠箱５０を挟んで、例えば連結ねじ５１ａおよびねじ５１ｂで室内側から互いに連結されている。また、錠部６全体が大きな突出なく戸体４の中に納まるように形成されている。
【００２６】
シリンダー２０、およびサムターン受け３０は、いずれか一方で鍵操作を行えば、シリンダー２０の先端部２０ａ、およびサムターン４０の先端（図３参照）が錠箱５０に備えられたデッドボルト箱８５の、内部の筒状部材８０と連動し、デッドボルト７が出没され施解錠が行われるよう構成されている。通常室外側のシリンダー２０からは、鍵２１が抜き取られており、外出時や帰宅時の施解錠を行うときのみ鍵２１が差込まれる。一方、室内側のサムターン受け３０に係合するサムターン４０は、常時サムターン受け３０に差込まれたままで、外出時、および就寝時等には施錠後、サムターン４０を回転不可能にすることができ、防犯装置としても機能する。
【００２７】
サムターン４０の軸４１にはピン４２が軸４１に直交する方向に設けられている（図３も参照）。また、ピン４２と同一平面上には円板６１、および６２が備えられており、回転板６８、および６９に取り付けられている。回転板６８、および６９は基底板６０に備えられており、基底板６０は、ねじ５３ａ、５３ｂ（本図には現れていない）でカバー５２に固定されている。また、円板６１、および６２にはそれぞれ外周に切欠き部６１ａ、および６２ａが設けられている（図５（ａ）、図６等参照）。
【００２８】
図３はサムターン４０を概略的に示す斜視図を示し、解錠時の姿勢を表している。サムターン４０には、サムターンを回転させる際に把手として機能する把手部４３と、把手部４３を付け根として把手部４３から室外側へ伸ばされた軸４１と、軸４１の先端からに略１８０度の間隔を空けて軸４１の外周面上に室内外方向に配設された第一突起部４１ａ、および第二突起部４１ｂと、軸４１に直交し把手部４３寄りに把手部４３の長手方向と平行に設けられたピン４２とが設けられている。サムターン４０を操作し、施錠を行うには、把手部４３を図中の矢印の方向へ９０度回転させる。軸４１、およびピン４２はサムターン４０に一体に固定されているため、同時に９０度回転される。回転に伴い、第一突起部４１ａ、および第二突起部４１ｂとが筒状部材８０の凸部（図４参照）を引き掛け、上記デッドボルト７が受座８へ没入される。
【００２９】
図４は、筒状部材８０とその周辺部材とを概略的に示す。筒状部材８０が設けられたデッドボルト箱８５には、端部にデッドボルト７の出没が可能である孔８６が形成されている。デッドボルト７は、筒状部材８０に室内側の係合部８５ａ、もしくは室外側の係合部８５ｂから差込まれた上記シリンダー２０の先端部２０ａもしくは、上記サムターン４０の軸４１に形成されている突起部４１ａ、および４１ｂのいずれか一方が、凸部８１ａ、および８１ｂ、もしくは８２ａ、および８２ｂを足がかりとして筒状部材８０を回転させることにより、出没する。この係合部８５ａ、もしくは８５ｂと略１８０度の角度で形成されている突起部４１ａ、および４１ｂとの係合は、遊びが略９０度設けられており、サムターン４０の９０度の空まわしが可能である。
【００３０】
図５は、基底板６０と、円板６１、および円板６２とを概略的に示した斜視図である。（ａ）には室外側からみた斜視図を、（ｂ）には室内側からみた斜視図を示す。また、（ｃ）には（ｂ）に示された四角枠で囲んだ範囲を透視して円板６１を室内側からみた図を示す。
【００３１】
（ａ）に示される室外側面には、基底板６０に設けられた孔６３、および６４に、基底板６０の外周より上下に突出するよう回転板６８、および６９が取り付けられている。また、回転板６８、および６９が回転可能であるように、孔６３、および６４の内周面と回転板６８、および６９の外周面とは略同一に設けられている。回転板６８、および６９の室外側の面には、これらの回転板と同心であって、回転板６８、および６９より径が小さく、かつ回転板６８、および６９と一体に回転される円板６１、および６２が取り付けられている。円板６１、および６２には、外周の一部が切り取られた切欠き部６１ａ、および６２ａが形成されている。基底板６０の中央には軸４２を貫通させる孔６５が形成され、孔６５の左右両脇には基底板６０を上記カバー５２にねじ止めするために設けられたねじ孔６６ａ、および６６ｂが形成されている。
【００３２】
図５（ｂ）に示されるように、室内側面は、基底板６０、および回転板６８、および６９の内部構造を隠す表板６０ａで覆われている。上記のように回転板６８、および６９は、一部が基底板６０から上下に突出されているので基底板６０の外側からこれら回転板６８、６９を回転操作することが可能である。また、基底板６０には窓６７ａ、および６７ｂが設けられており、回転板６８、および６９の室内側に回転位置の目安となるように描かれた記号７０ａ、および７０ｂが見えるようになっている。図（ｃ）には、回転板６８が示されているが、記号７０ａ〜７０ｋには例えば記号「Ｉ」「ＩＩ」等が表されている。孔６５は室外側に貫通されており、上記のサムターン４０の軸４１を室内側から挿入でき、かつ回転できるよう軸４１の断面より若干大きく形成されている。ねじ孔６６ａ、および６６ｂには、ねじ５３ａ、および５３ｂが差込まれ、基底板６０が上記のカバー５２にねじ止めされている。
【００３３】
図６（ａ）は、サムターン４０と、基底板６０との関係を概略的に示す斜視図である。軸４１が基底板６０の孔６５に挿入され、室外側のピン４２と室内側の把手部４３とが基底板６０を挟んでいる。本図には解錠時の姿勢が示されている。上記のように、窓６７ａ、および６７ｂに現れる所定の記号７０ａ、および７０ｂを基準として回転板６８、および６９を回転させると、この回転にともなって、円板６１、および６２（図６（ｂ）参照）が回転され、切り欠き部６１ａ、及び６２ａが軸４１を挟んで対向する位置に配置される。このように切り欠き部６１ａ、６２ａが配置されると、ピン４２が回転しても円板６１、６２との位置的干渉が発生しない。従って、サムターン４０の施錠方向である把手部４３の長手方向が略水平となるように、ピン４２を９０度回転させることができる。また、円板６１、および６２をその状態のままにしておけば、施解錠方向にサムターン４０を自由に回転させることができる。
【００３４】
図６（ｂ）は、図５（ａ）の状態を室外側から正面視した図である。上記のように室内側から円板６１、および６２が所定の位置に回動されると、切欠き部６１ａ、および６２ａが向き合う位置に移動される。この位置にあっては、ピン４２の先端部の回転軌道よりも僅かに大きく切り欠かれているため、ピン４２の回動が自由に行える。そのため、施解錠が行えるようになる。
【００３５】
図６（ｃ）は、施錠された状態で、防犯機能をかけた様子を概略的に示した正面図である。施錠に伴い、ピン４２が略水平となるように回転された後、回転板６８、および６９を所定の位置からずらすように回転させる。ピン４２の回転を許容していた切欠き部６１ａ、および６２ａは移動されてピン４２が回転すると位置的に干渉が発生するので回転規制の状態となり、上記のように解錠方向にサムターンを回転させても、ピン４２は円板６１、および６２に突き当り解錠操作は行えないようになる。よって、この状態においてサムターン回しを防止できる。
【００３６】
図７には、外出時、および帰宅時等における、サムターン４０と防犯機能との関係を示す。
【００３７】
（ａ）に示すように、上記円板６１、および６２が所定の位置に移動可能となるよう室内側から軸４１を回動させ、ピン４２を水平方向へ回転させる。この状態におけるデッドボルト箱８５周辺部材の様子を図７（ｂ）に示す。上記のとおり、軸４１と係合部８５ａとの間には遊びが略９０度設けられているため、突起部４１ａ、および４１ｂがそれぞれ８１ａ、および８１ｂに内接された上下方向から、８２ａ、および８２ｂにそれぞれ内接される水平方向まで空まわりが可能であり、この間にデッドボルト７は、孔８６からは突出することがない。そのため、室内側において防犯機能をかけて室外側に出ることができ、施錠を室外側から行うことが可能となる。施錠後の様子を図７（ｃ）に示す。上記鍵２１によって、デッドボルト７が孔８６から突出するよう上記室外側係合部（８５ｂ）が回動され、係合部８５ａが上記図７（ａ）の状態から時計回りに９０度回転されている。この回転において突起部４１ａ、および４１ｂは、係合部の弧部９０ａ、および９０ｂ上を滑走するため、突起部８１ａ、８１ｂ、もしくは８２ａ、８２ｂのいずれも引き掛けることなく不動である。よって、外出時には、室内側のサムターン（４０）に防犯機能をかけて施錠することが可能となる。
【００３８】
また、帰宅時には、室外側から解錠されて図７（ｂ）の状態となり、室内側へ入ることができる。
【００３９】
一方、就寝時等で、室内側から施錠を行うには、帰宅後直後の図７（ａ）の状態ではピン４２が円板６１ａ、および６２に突き当たり、図７（ｃ）の方向へ係合部８５ａを回動させることができない。そのため、室内側から施錠が行われるには、いったん防犯機能を解除し、施錠を行ったのち、再び図７（ａ）に示した防犯機能をかける。
【００４０】
したがって、外出時、就寝時等に円板６、および６２を回転させて切欠き部６１ａ、および６２ａを移動させておけば、室外側から賊がサムターン回しを試みようとしてもサムターンは回転せず、たとえ円板を回転操作しても、解錠位置を探し当てるのは困難である。
【００４１】
サムターン４０による室内側からの施解錠操作の規制は、上記のとおりサムターン４０に設けられたピン４２と、円板６１、および６２に設けられた切欠き部６１ａ、および６２ａとの回動許容、回動規制によって行われている。本実施例では円板を２つ設けた様子を示しているが、サムターン４０の回転が規制されればよく、例えば２以上もしくは単一の数の円板を設けることも可能である。
【００４２】
また、回転位置を決定する目印として本実施例では記号を用いたが、記号以外の例えば色、数字、および文字等であっても目印として分かればよい。
【００４３】
＜第二実施形態＞
第二実施形態にかかる施解錠装置およびその施解錠装置を備えた開口部装置は、第一実施形態にかかる施解錠装置およびその施解錠装置を備えた開口部装置１００とは、筒状部材の内周面が円筒状に溝が刻まれた形状に形成されている点において異なっているので、この点について構造およびその作用効果を以下に説明し、その余の点は上記第一実施形態にかかる施解錠装置およびその施解錠装置を備えた開口部装置１００と同じであるのでその説明を省略する。
【００４４】
図８は、サムターンの軸４１先端側断面と、筒状部材１８０との位置関係を示す図である。軸４１の外周面の径方向には互いに反対方向に延出された突起部４１ａ、４１ｂが設けられ、筒状部材１８０の内周面には、軸４１に対応する円筒部１８０ａ、突起部４１ａ、４１ｂに対応するように円筒部の外周方向に溝１８０ｂ、１８０ｃが設けられている。したがって、サムターンの軸４１と、筒状部材１８０との間には、第一実施形態におけるような（略９０度）の遊びがない。
【００４５】
このような構成をとった場合、室外側シリンダーの鍵操作による筒状部材１８０の回転は、直にサムターン４０に伝えられる。したがって、第二実施形態にかかる開口部装置の場合、外出時には室内側サムターンのロックを解除して室外に出て、施錠を行う必要がある。
【００４６】
一方就寝時等については、室内側からロックをかけて外部から侵入を図るものがサムターン回しを企てることを阻止することができる。さらにかかる構成をとることにより、いわゆるピッキングの防止を図ることもできる。
【００４７】
下記に円板とピンの組合せ例、および目印例を、図９を参照しつつ説明する。
【００４８】
図９は、円板の数と、軸の数と、目印とを変形させた様子を概略的に示した正面図である。（ａ）には、基底板６０に、３枚の回転板２０１、２０２、および２０３を備え、回転板２０１〜２０３にはそれぞれ円板２０４、２０５、および２０６が備えられ、この円板にそれぞれ設けられた切欠き部２０４ａ、２０５ａ、および２０６ａに回転規制されるピン２０７、および２０８が設けられている様子が示されている。回転板２０１〜２０３を所定の位置に回転させることによって切欠き部２０４ａ〜２０６ａに沿うようにしてピン２０７〜２０９が自由に回転でき、施解錠が可能となる。この形態によれば、解錠操作を可能にするためには３つの回転板を所定の位置に合わせねばならす、防犯機能がより高まる。
【００４９】
図９（ｂ）には、基底板２１０に、１枚の回転板２１１を備え、回転板２１１には円板２１２が備えられ、この円板２１２に設けられた切欠き部２１２ａに回転規制されるピン２１３が設けられている様子が示されている。回転板２１１を所定の位置に回転させることによって切欠き部２１２ａに沿うようにしてピン２１３が自由に回転でき、施解錠が可能となる。この形態によれば、解錠操作を１箇所で行うことができ、例えば物置き等に簡易鍵として用いることができる。
【００５０】
上述のとおり、基底板、円板、および目印は、ピンの回動規制および回動解除が可能であれば様々な形状による構成が可能である。
【００５１】
以上の施解錠装置のうち、特に室内側のサムターン４０は、施錠後にサムターンを回転させないような防犯機構を備えているため、「サムターン回し」の被害が防がれ、不正解錠を不可能にさせる防犯性に優れた装置である。
【００５２】
また、上記の施解錠装置を備えたドア１は、外出時、就寝時等には、施錠後に回転板６１および６２を不特定の位置へ回転させておくのみでよく、サムターン４０は固定されているので紛失するという心配がいらない。
【００５３】
また、本発明においては片開きドアを例として説明したが、本形態のみならず、例えば鎌状のデッドボルトを備えることによって引き戸等にも適用可能である。さらに本形態では錠部とシリンダーとが別々に設けられているが、把手とシリンダーが一体となっていてもよい。
【００５４】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う施解錠装置および開口部装置もまた本発明の技術的範囲に包含されるものとして理解されなければならない。
【００５５】
【発明の効果】
以上に説明したように、請求項１の発明によれば、サムターンの回動は、回動板の外周にサムターンに取り付けられた突出部が突き当たることによって規制することができる。このため回動板を回動させて回動板の外周に設けられた切欠き部領域に突出部が入らない限りは、サムターンがロック状態にあるため、サムターンを回動させて解錠することができない。
【００５６】
また、請求項２の発明によれば、サムターンと筒状部材とは略９０の遊びを持って係合されているため、サムターンがロックされている状態においても、シリンダー錠側から鍵により施解錠操作をすることができる。  請求項３の発明によれば、サムターンを施錠方向に回動させ、回動板を解錠不可能な方向に回して切欠き部を移動させておけば、室内側にてロックされた状態が可能で、就寝時等には突出部が回動板によって回動規制され、不法侵入等の犯罪を企てる者の解錠は不可能である。一方、就寝時等以外の日常での室内外の出入りがあるときには、施解錠可能な位置に回動板を回転させておくことにより、ロックが解除され、室内側からも施解錠が可能となり、利便性の高い開口部装置を提供することができる。
【００５７】
請求項４の発明によれば、サムターンと筒状部材とは略９０の遊びを持って係合されているため、サムターンがロックされている状態においても、シリンダー錠側から鍵により施解錠操作をすることができる。したがって、外出時等には、室内側のサムターンをロックしてから、室外側に出て、鍵により施錠操作が可能となる。
【図面の簡単な説明】
【図１】開口部装置を示す室外側正面図である。
【図２】図１のＩＩ−ＩＩ線に沿った拡大断面図である。
【図３】サムターンを概略的に示す斜視図である。
【図４】筒状部材とその周辺部材とを概略的に示した斜視図である。
【図５】基底板、および円板を概略的に示した斜視図である。（ａ）は、室外側からの形状を示した図である。（ｂ）は、室内側からの形状を示した図である。また、（ｃ）には（ｂ）に示された四角枠で囲んだ範囲の透視図である。
【図６】サムターン、基底板、および円板が組み合わされた様子を概略的に示した図である。（ａ）は解錠時における様子を室内側から示した斜視図である。（ｂ）は解錠時における、サムターン、基底板、および円板の関係を示した室外側正面図である。また、（ｃ）は施錠時およびロック時における、サムターン、基底板、および円板の関係を示した室外側正面図である。
【図７】サムターン４０と防犯機能との関係を概略的に示した正面図である。
【図８】第二実施形態にかかる施錠装置の筒状部材を説明する図である。
【図９】円板の数、および軸の数を示す正面図である。
【符号の説明】
２  枠体
４  戸体
６  錠部
７  デッドボルト（係止部材）
８  受座
２０  シリンダー（シリンダー錠）
２０ａ  シリンダー錠の先端
３０  サムターン受け
２１  鍵
４０  サムターン
４１  軸
４１ａ  突起部（サムターン軸の先端）
４１ｂ  突起部（サムターン軸の先端）
４２  ピン（突出部）
６０  基底板（サムターンブロック）
６１、６２  円板（回動板）
６１ａ、６２ａ  切欠き部
６８、６９  回転板（サムターンブロック）
８０  筒状部材
１００  開口部装置
【図１】
2004353384.tif 000003
【図２】
2004353384.tif 000004
【図３】
2004353384.tif 000005
【図４】
2004353384.tif 000006
【図５】
2004353384.tif 000007
【図６】
2004353384.tif 000008
【図７】
2004353384.tif 000009
【図８】
2004353384.tif 000010
【図９】
2004353384.tif 000011